(57)【要約】【課題】歯の小さな隙間や歯に付着したステイン除去効果を高める歯清掃装置を提供することである。【解決手段】把持部１と、歯の洗浄を行う洗浄動作部２と、を備えた歯清掃装置３において、把持部に内部電源４の一方の電極に接続された把持部側電極５を表出して備え、洗浄動作部２に前記内部電源４の他方の電極に接続された洗浄動作部側電極６を有するとともに、この洗浄動作部側電極６の先端部分に歯磨剤を保持する剤保持部７を有することを特徴とした歯清掃装置。【選択図】図３
2011067275.tif 000002
【特許請求の範囲】
【請求項１】
把持部と、歯の洗浄を行う洗浄動作部と、を備えた歯清掃装置において、把持部に内部電源の一方の電極に接続された把持部側電極を表出して備え、洗浄動作部に前記内部電源の他方の電極に接続された洗浄動作部側電極を有するとともに、この洗浄動作部側電極の先端部分に歯磨剤を保持する剤保持部を有することを特徴とした歯清掃装置。
【請求項２】
剤保持部を囲う外枠部を有し、この外枠部が電気絶縁体からなることを特徴とした請求項１記載の歯清掃装置。
【請求項３】
把持部側電極と洗浄動作部側電極との間の通電を点灯表示する照明装置を洗浄動作部の付近に有することを特徴とした請求項１又は２記載の歯清掃装置。
【請求項４】
洗浄動作部を備えたアタッチメント部と把持部を備えた本体部とが分割されており、アタッチメント部と本体部との着脱が可能であり、アタッチメント部と本体部とが着脱される接続部に水浸入防止用部材を設けてあることを特徴とした請求項１から３のいずれか一項記載の歯清掃装置。
【発明の詳細な説明】
【技術分野】
【０００１】
本願発明は、歯に外部より付着したステイン（着色汚れ物質、ヤニ、茶渋等）などの着色汚れ物質を除去するのに有効な歯清掃装置に関するものである。
【背景技術】
【０００２】
従来から特公昭４８−２７３９０号（特許文献１）に示されるように、電荷を有する分子を電気的に歯側へ引き寄せることによって、その荷電分子を歯表面へ浸透させる方法が知られている。口腔内に化膿などの損傷のない正常な人の口腔内は中性から弱酸性である。このような口腔内の状態であって、電池のマイナス極をブラシ部に接続し、プラス極を表出した把持部に接続し、使用時には、フッ素を含有させた歯磨剤と併用し、電流をプラス極に接続された把持部、手、歯、ブラシ部の方向に流して、マイナスのフッ素イオンを歯に電気的に浸透させる方法である。
【０００３】
したがって、必要量のフッ素イオンを歯中に拡散でき、虫歯予防は勿論、歯表面の汚れ及び色素の除去、細菌の繁殖抑制により、口臭を抑え、歯槽膿漏を確実に防止することができる等の優れた効果を具有するとされる。
【先行技術文献】
【特許文献】
【０００４】
【特許文献１】特公昭４８−２７３９０号
【発明の概要】
【発明が解決しようとする課題】
【０００５】
しかしながら、実際のブラッシング中では口腔内の唾液が剤に混入すると同時に、ブラッシングによる空気の混入によって剤成分がステインに作用しにくい。又、口腔内で剤が拡散してしまうために、剤成分がステインに作用しにくい。
【０００６】
そして、ブラシ部を手動で動かさなければならず、手動では動かす速さに限界があり、又手間がかかる。
【０００７】
本願発明は、上記背景技術に鑑みて発明されたもので、その課題は、歯の小さな隙間や歯に付着したステイン除去効果を高める歯清掃装置を提供することである。
【課題を解決するための手段】
【０００８】
上記課題を解決するために、本願請求項１記載の発明では、把持部と、歯の洗浄を行う洗浄動作部と、を備えた歯清掃装置において、把持部に内部電源の一方の電極に接続された把持部側電極を表出して備え、洗浄動作部に前記内部電源の他方の電極に接続された洗浄動作部側電極を有するとともに、この洗浄動作部側電極の先端部分に歯磨剤を保持する剤保持部を有することを特徴とした歯清掃装置とした。
【０００９】
又、本願請求項２記載の発明では、上記請求項１記載の歯清掃装置において、剤保持部を囲う外枠部を有し、この外枠部が電気絶縁材料からなることを特徴としている。
【００１０】
又、本願請求項３記載の発明では、上記請求項１又は２記載の歯清掃装置において、把持部側電極と洗浄動作部側電極との間の通電を点灯表示する照明装置を洗浄動作部の付近に有することを特徴としている。
【００１１】
又、本願請求項４記載の発明では、上記請求項１から３のいずれか一項記載の歯清掃装置において、洗浄動作部を備えたアタッチメント部と把持部を備えた本体部とが分割されており、アタッチメント部と本体部との着脱が可能であり、アタッチメント部と本体部とが着脱される接続部に水浸入防止用部材を設けてあることを特徴としている。
【発明の効果】
【００１２】
本願請求項１記載の発明の歯清掃装置においては、把持部側電極と洗浄動作部側電極との間を通電させることにより、口腔内の洗浄効果が高まる。又、歯磨剤を剤保持部に配置することによって、口腔内に歯磨剤が分散することを防ぐことができる。
【００１３】
さらに、通電することによりステイン除去効果が高まった状態で、洗浄動作部で歯を磨くことで、従来の手動のものより速く、細かい動きが可能となり、清掃効果が高まる。磨く力が少ない子どもやお年寄りでも簡単にステイン除去ができる。
【００１４】
又、従来のものより洗浄動作部側電極と歯が近いことから通電しやすくなる。
【００１５】
把持部側電極をプラス極、洗浄動作部側電極をマイナス極とした場合には、ステイン除去効果のある歯磨剤として、電気によって分解されステイン除去に有効な荷電分子になる物質を含有した歯磨剤を剤保持部に満たした状態で、把持部側電極と洗浄動作部側電極との間で通電させることによって、電流は把持する手から身体を経由して最終的には歯を流れた後、剤保持部の歯磨剤を介して洗浄動作部側電極へ流れる。マイナス電荷を有する荷電分子は、プラス電極側である歯へ引き寄せられ、歯近傍の荷電分子濃度が高まる。歯に付着したステインに作用する荷電分子数が増加することで、ステイン剥離効果のある化学反応が促進され、その結果ステイン除去効果が高まる。
【００１６】
そして、歯磨剤を洗浄動作部の先端に設けられる剤保持部に配置することによって、電流を集中的に流して荷電分子の移動を効率的に行うことが可能となり、ステインを集中的に除去できる。又、剤保持部が歯磨剤を保持しつつ、放出することが可能であることから、電流を歯磨剤に流しながら、歯を磨くことができ、ステイン除去効果が高まる。
【００１７】
さらに、歯側の電極がプラス極、洗浄動作部側電極がマイナス極となることで、口腔内の唾液や水等に含まれるステイン(着色汚れ物質、ヤニ、茶渋等)を洗浄動作部側電極に引き寄せて、ステイン除去効果を高めるのに有効である。
【００１８】
歯磨剤が荷電分子配合剤以外のものである場合にも、上記の歯側の電極がプラス極、洗浄動作部側電極がマイナス極となることで、口腔内の唾液や水等に含まれるステイン(着色汚れ物質、ヤニ、茶渋等)を洗浄動作部側電極に引き寄せて、ステイン除去効果を高めるのに有効であるという効果が得られる。
【００１９】
又、把持部側電極をマイナス極、洗浄動作部側電極をプラス極とした場合には、電流は上記の逆に流れる。この場合、洗浄動作部側電極が銀などの口腔に対して有効な素材を含んでいるのであれば、それが溶け出して、有効な効果が生じる。
【００２０】
又、本願請求項２記載の発明の歯清掃装置においては、特に、外枠部が電気絶縁材料からなり、洗浄動作部側電極と口腔内の直接接触を防ぎ、使用者の安全を確保する。
【００２１】
又、本願請求項３記載の発明の歯清掃装置においては、特に、口腔内を照明装置によって照らすことで、口腔内において洗浄動作部を歯へ適切な状態で接触させることができる。洗浄動作部と歯の接触率が高まることで、ステイン除去効果を維持できる。さらに、通電状態を常時確認することができるため、無通電状態を回避してステイン除去効果を維持することが可能となる。
【００２２】
又、本願請求項４記載の発明の歯清掃装置においては、アタッチメント部と本体部とが分割可能であることによって、コンパクトになり、持ち運びが容易になる。さらに、特にアタッチメント部と本体部の間に水浸入用部材を設け、水の浸入を防ぐことによって、装置内の器具劣化を防いで装置を長寿命化すると同時に、漏電を防止して使用者の安全を確保することができる。
【図面の簡単な説明】
【００２３】
【図１】本願発明の第１実施形態である歯清掃装置の正面図である。
【図２】同歯清掃装置の側面図である。
【図３】同歯清掃装置の側断面図である。
【図４】（a）同歯清掃装置のアタッチメント部を拡大して示す側断面図、（b）同歯清掃装置の剤保持部、外枠部を拡大して示す斜視図である。
【図５】（a）、（b）は同歯清掃装置に取付けられる異なる洗浄動作部を有するアタッチメント部の先端部を拡大して示す側断面図である。
【図６】本願発明の第２実施形態である歯清掃装置の正面図である。
【図７】同歯清掃装置の側面図である。
【図８】同歯清掃装置の側断面図である。
【発明を実施するための形態】
【００２４】
図１、２、３、４は請求項１、２、４に対応した第１実施形態である歯清掃装置３を示している。この歯清掃装置３は、把持部１と、歯の洗浄を行う洗浄動作部２と、を備えた歯清掃装置３において、把持部１に内部電源４の一方の電極に接続された把持部側電極５を表出して備え、洗浄動作部２に前記内部電源４の他方の電極に接続された洗浄動作部側電極（回転台）６を有するとともに、この洗浄動作部側電極６の先端部分に歯磨剤を保持する剤保持部７を有している。そして、剤保持部７を囲う外枠部８を有し、この外枠部８が電気絶縁材料からなっている。又、洗浄動作部２を備えたアタッチメント部１０と把持部１を備えた本体部１１とが分割されており、アタッチメント部１０と本体部１１との着脱が可能であり、アタッチメント部１０と本体部１１とが着脱される接続部１２に水浸入防止用部材１３を設けている。
【００２５】
以下、第１実施形態の歯清掃装置３をより具体的詳細に説明する。この歯清掃装置３は筒状の本体部１１とこの本体部１１の軸方向の一端から突出して先端に歯清掃用の洗浄動作部２を備えたアタッチメント部１０を備えている。アタッチメント部１０の軸方向は本体部１１の軸方向に対して所定角度傾斜している。筒状の本体部１１の軸方向の一端に、軸方向が本体部１１の軸方向に対して傾いたアタッチメント部１０を取付ける。この場合、アタッチメント部１０はアタッチメント部１０の軸廻り方向に取付け方向を変更可能となっている。洗浄動作部２をアタッチメント部１０の軸方向の本体部１１と反対側の端部からアタッチメント部１０の軸方向に対して交差する方向に突出して設置している。
【００２６】
本体部１１の外面には歯清掃装置３の後述の内部電源４を操作する操作スイッチ１４があり、把持部側電極５が表出している。操作スイッチ１４は歯清掃装置を前方から見て右側面、把持部側電極５は歯清掃装置３の前面にある。把持部側電極５は歯清掃装置３の内部電源４に接続されている。
【００２７】
操作スイッチ１４は後述するモーター１５の出力軸の回転速度を制御するためのものである。操作スイッチ１４は回動自在となったダイヤル式の操作スイッチ１４であって、操作スイッチ１４を回動することで、モーター１５をOFFにして洗浄動作部２を停止した状態、洗浄動作部２が往復回動する速度を遅くした状態、洗浄動作部２が往復回動する速度を速くした状態、の３段階に切り替えられるようになっている。
【００２８】
操作スイッチ１４は本体部１１の右側面に設けられている。又、操作スイッチ１４の外周面の周方向の２箇所には操作スイッチ１４を指で回動操作するための手掛かり部１６を設けてあり、この２つの手掛かり部１６は操作スイッチ１４の前後対向位置に配置されている。
【００２９】
操作スイッチ１４の外周面の周方向の２箇所に手掛かり部１６を設けたが、手掛かり部１６を操作スイッチ１４の周方向の４箇所に等間隔で設けてあってもよく、手掛かり部１６は操作スイッチ１４の周方向に複数箇所設けてあればよい。
【００３０】
図３に示すように、本体部１１には、内部電源４としての電池、回路１７、把持部側電極５、回路運動駆動用のモーター１５、モーター１５と接続されてモーター１５の回転運動を往復直線運動に変換する運動変換部１８、運動変換部１８と接続されて運動変換部１８の往復直線運動に伴って往復直線運動をする往復駆動体１９、往復駆動体１９と後述のスライドシャフト２０とを連結する往復駆動接合部２１がある。
【００３１】
内部電源４、回路１７、把持部側電極５は配線によりつながっており、導通経路を形成している。又、内部電源４、回路１７、回路運動駆動用のモーター１５も配線でつながっており、導通経路を形成している。
【００３２】
運動変換部１８、往復駆動体１９、往復駆動接合部２１は金属材料からなる。運動変換部１８として例えば、ベアリングが挙げられる。又、把持部側電極５は金属板からなる。なお、把持部側電極５は導電性であれば他の部材であってもよい。
【００３３】
図４にも示すように、アタッチメント部１０は、スライドシャフト２０、ばね２２、回転台６、回転台６の回転を支える回転台中心軸２３、回転台６の偏心位置に設置され回転台６とスライドシャフト２０とをつなぐ軸である偏心軸２４、スライドシャフト２０と偏心軸２４との間をつなぐ連結片２５、剤保持部７、剤保持部７を囲う外枠部８からなる。アタッチメント部１０の先端にある洗浄動作部２は上述の剤保持部７、外枠部８、回転台６からなっている。
【００３４】
スライドシャフト２０はアタッチメント部１０の内面との間にわずかな隙間を有してアタッチメント部１０内に収納してあり、スライドシャフト２０の軸方向の一端は、本体部１１の往復駆動接合部２１を介して往復駆動体１９と接続されている。そして、スライドシャフト２０の軸方向の他端は回転台６の偏心軸２４との連結部である連結片２５に取付けられている。そして、スライドシャフト２０の往復駆動接合部２１をアタッチメント部１０の軸方向における往復駆動体１９に向かってばね力を付与するばね２２を内装しており、このばね２２によりスライドシャフト２０ががたついて異音を発生することを防止している。
【００３５】
洗浄動作部２の一部である回転台６は洗浄動作部側電極６の役割も果たしている。よって回転台６は導電性の金属からなる。なお、金属でなくても、導電性のものであればよい。
【００３６】
洗浄動作部２の一部である剤保持部７は、歯磨剤に効率よく電流を流すために、回転台中心軸２３の軸方向の前方に設置される。又、剤保持部７は歯磨剤を放出できるように表方に開口している。
【００３７】
洗浄動作部２の一部である外枠部８は剤保持部７を囲うように、かつ歯磨剤を放出できるように表方に開口して設けられており、歯と洗浄動作部側電極６が直接接触するのを防ぐため非導電性であることが好ましい。さらに、歯茎に接触しても痛くないように、外枠部８は弾性であるとよい。
【００３８】
例えば、図４（b）に示すように、洗浄動作部２の外枠部８は、ゴムで形成されて先端に歯の着色汚れを除去する放射状の磨き部２６を備えたものがある。放射状の磨き部２６は外側の円筒の部分（外枠部８）と内側の放射状の部分２７からなる。外枠部８と内側の放射状の部分２７との間には少し段差７aがあり、この段差が剤保持部７として機能する。さらに、放射状の部分２７の空所７bも剤保持部７として機能する。つまり、この段差の部分と空所の部分に歯磨剤を保持することができる。
【００３９】
又、図５（a）に示すように、洗浄動作部２は、先端を円錐状にカットした部材からなり、主に歯と歯の間の細やかな箇所の着色汚れを除去するものや、図５（b）のように円状に配置された多数本のブラシからなるものもある。図５（a）の部材は導電性材料からなり、回転台６と電気的に接合している。歯と接触する円錐状の外面には、ナノメートルオーダーからミリメートルオーダーの凹凸面を有し、剤保持部７としての役割を果たす。図５（b）の多数本ブラシでは、回転台６とブラシ部２８を連結するブラシ毛植毛部２９は導電性材料からなる。外枠部８はブラシ部２８周囲を取り囲む形でカップ状の構造を有する。外枠部８のカップ状の構造は剤保持部７としての役割を果たし、ブラシ部２８による歯磨き中に歯磨剤が洗浄動作部側電極６周辺から離れて分散することを防ぐ。異なる洗浄動作部２を備えた上述のアタッチメント部１０は、本体部１１に着脱自在に取り付けられる。
【００４０】
操作スイッチ１４を回して内部電源４を入れると、内部電源４から回路１７に電流が流れ、回路運動駆動用のモーター１５が駆動することによって、運動変換部１８が回転し、往復駆動体１９が往復直線運動をする。その往復駆動体１９とスライドシャフト２０は往復駆動接合部２１によって接続されており、往復駆動体１９が往復直線運動をすることによって、スライドシャフト２０も往復直線運動をする。そして、スライドシャフト２０が往復直線運動することによって、回転台６の偏心軸２４と連結片２５を介して回転台６が往復回動運動をする。回転台６が往復回動運動をすることで、洗浄動作部２全体が往復回動運動をして、歯を清掃する。
【００４１】
このとき、把持部側電極５をプラス極、洗浄動作部側電極６をマイナス極として導通経路を形成する。把持部１からの電流が、把持部１を持つ手を介して身体へ流れて最終的には歯へ流れる。歯からの電流は、歯磨剤を介して洗浄動作部側電極６へ流れる。洗浄動作部側電極６からの電流は、金属材料からなる偏心軸２４、スライドシャフト２０、往復駆動接合部２１、往復駆動体１９、運動変換部１８へと電流が流れ、最終的に把持部側電極５へ戻ってくる。
【００４２】
本体部１１とアタッチメント部１０は着脱可能であり、アタッチメント部１０のスライドシャフト２０が本体部１１内部にある往復駆動体１９に往復駆動接合部２１を介して着脱される。
【００４３】
本体部１１とアタッチメント部１０の接続部１２には、水浸入防止部材１３が備えられている。この水浸入防止部材１３は例えばパッキンが挙げられる。この水浸入防止部材１３が備えられることによって、水の浸入による装置の劣化を防止すると共に、漏電を防止して使用者の安全性を確保する。
【００４４】
したがって第１実施形態においては、歯磨剤を剤保持部７に満たした状態で、把持部側電極５と洗浄動作部側電極６との間で通電させることによって、電流は把持する手から身体を経由して最終的には歯を流れた後、剤保持部７の歯磨剤を介して洗浄動作部側電極６へ流れる。ステインがプラス電荷を帯び、剤がマイナス電荷を帯びるので、お互いに引き寄せ合って、ステイン除去効果が高まる。
【００４５】
歯磨剤は、市販の研磨剤が含まれている歯磨剤でもよいし、塩が含有されていても良い。
【００４６】
このとき歯磨剤として、電気によって分解されステイン除去に有効な荷電分子になる物質を含有した歯磨剤、例えばフッ素含有の歯磨剤などを使用するとさらに以下のような効果が生じる。
【００４７】
歯磨剤を剤保持部７に満たした状態で、把持部側電極５と洗浄動作部側電極６との間で通電させることによって、電流は把持する手から身体を経由して最終的には歯を流れた後、剤保持部７の歯磨剤を介して洗浄動作部側電極６へ流れる。マイナス電荷を有する荷電分子は、プラス電極側である歯へ引き寄せられ、歯近傍の荷電分子濃度が高まる。歯に付着したステインに作用する荷電分子数が増加することで、ステイン剥離効果のある化学反応が促進され、その結果ステイン除去効果が高まる。
【００４８】
又、歯磨剤を剤保持部７に配置することによって、口腔内に歯磨剤が分散することを防ぎ、電流を集中的に流して荷電分子の移動を効率的に行うことが可能となり、ステインを集中的に除去できる。又、剤保持部７が歯磨剤を保持しつつ、放出することが可能であることから、電流を歯磨剤に流しながら、歯を磨くことができ、ステイン除去効果が高まる。
【００４９】
そして、洗浄動作部２は往復回動運動をするので、一般の歯清掃装置のように洗浄動作部２が回転運動をする場合に比べ、歯磨剤の分散を防ぐことができる。
【００５０】
又、剤保持部７の底部が洗浄動作部側電極６と接することにより、確実に歯磨剤に電流が流れ、その歯磨剤によって歯を清掃するので、ステイン除去効果が高まる。そして、洗浄動作部側電極６と歯が従来の歯清掃装置より近くなるため、通電しやすく、ステイン除去効果が高まる。
【００５１】
特にこの場合、通電することによりステイン除去効果が高まった状態で、往復回動運動をする洗浄動作部２で歯を磨くことで従来の手動のものより、速く、細かい動きが可能となり、清掃効果が高まる。磨く力が少ない子どもやお年寄りでも簡単にステイン除去ができる。
【００５２】
さらに、把持部側電極５がプラス極、洗浄動作部側電極６がマイナス極となることで、口腔内の唾液や水等に含まれるステイン(着色汚れ物質、ヤニ、茶渋等)を洗浄動作部側電極６に引き寄せて、ステイン除去効果を高めるのに有効である。
【００５３】
使用者はこのような状態で洗浄動作部２を歯や歯茎に当てることで、口腔内の清掃、特に着色汚れの除去を行うことができる。通電しながら歯を清掃することで、従来の歯清掃装置に比べて高いステイン除去効果を期待できる。従来の歯清掃装置に比べて、歯間部や歯凹面等の細溝に付着したステインに荷電分子を運びやすくする。同時に、プラス荷電を持つ着色物質を歯表面及び口腔内唾液からマイナス極側の電極に引き寄せ、着色汚れ成分の歯への定着を防ぐ。
【００５４】
そして、剤保持部７が電気絶縁材料からなることによって、洗浄動作部側電極６と口腔内の直接接触を防ぎ、使用者の安全を確保する。
【００５５】
又、アタッチメント部１０と本体部１１が分割可能であることによって、コンパクトになり、持ち運びが容易になる。そして、アタッチメント部１０と本体部１１の間に水浸入防止部材１３を設けて、水浸入を防ぐことによって、装置内の器具劣化を防いで装置を長寿命化すると同時に、漏電を防止して使用者安全を確保することができる。さらに、アタッチメント部１０と本体部１１が分割できることによって、好みの種類の洗浄動作部２に付替えて使用することができる。さらに、１つの本体部１１に対して複数のアタッチメント部１０を交換可能なことから、家族で本体部１１を共有することができる。
【００５６】
図６、７、８は請求項１から４全てに対応した第２実施形態である歯清掃装置を示している。なお、ここでは、上記第１実施形態と相違する事項についてのみ説明し、その他の事項（構成、作用効果等）については、上記第１実施形態と同様であるのでその説明を省略する。この歯清掃装置３は第１実施形態の歯清掃装置３に、把持部側電極５と洗浄動作部側電極６との間の通電を点灯表示する照明装置９を洗浄動作部２の付近に有するものである。
【００５７】
以下、第２実施形態の歯清掃装置３をより具体的詳細に説明する。洗浄動作部２下部には、把持部側電極５と洗浄動作部側電極６との間の通電を点灯表示する照明装置９を備えている。
【００５８】
回転台中心軸２３と往復駆動体１９は３枚の導電体３０により導通経路を構成している。導電体３０は配線であってもよいし、ステンレスリード片のような金属弾性板片でもよい。である。回転台６側の２枚の導電体３０は照明装置９とそれぞれ接続されており、本体部１１側の導電体３０は往復駆動体１９と連結しており、導通経路を構成している。又、往復駆動接合部２１、スライドシャフト２０、連結片２５、偏心軸２４は金属からなり、こちらも導通経路を構成している。なお、往復駆動接合部２１、スライドシャフト２０、連結片２５、偏心軸２４は金属ではなく、樹脂などからなっていてもよい。この場合、導通経路は構成しないが、樹脂にすることで軽量化を図ることができる。
【００５９】
歯からの電流は、歯磨剤を介して洗浄動作部側電極６へ流れる。洗浄動作部側電極６からの電流は、金属材料からなる回転台中心軸２３、導電体３０ａ、照明装置９、導電体３０ｂ、導電体３０ｃ、往復駆動接合部２１、往復駆動体１９、運動変換部１８へと電流が流れ、最終的に把持部側電極５へ戻ってくる。
【００６０】
したがって、第２実施形態においては照明装置９が備えられていることから、歯裏側や奥歯等、照明なしでは位置を確認しにくい場所にある歯の清掃が簡便になる。又、洗浄動作部２が歯に適切に接触しているか確認することができる。加えて、歯清掃中における通電状態を報知する機能を兼ねており、無通電状態での歯清掃を防止してステイン除去効果を維持することができる。
【００６１】
なお、第１実施形態、第２実施形態においては、把持部側電極５をプラス極、洗浄動作部側電極６をマイナス極とすることで、ステイン剥離効果のある化学反応が促進され、その結果ステイン除去効果が高まるということであったが、把持部側電極５をマイナス極、洗浄動作部側電極６をプラス極としてもよい。この場合、電極が銀などの口腔に対して有効な素材を含んでいるのであれば、それが溶け出して、有効な効果を生じさせることになる。
【符号の説明】
【００６２】
１  把持部
２  洗浄動作部
３  歯清掃装置
４  内部電源
５  把持部側電極
６  洗浄動作部側電極（回転台）
７  剤保持部
８  外枠部
９  照明装置
１０アタッチメント部
１１本体部
１２接続部
１３水浸入防止部材
【図１】
2011067275.tif 000003
【図２】
2011067275.tif 000004
【図３】
2011067275.tif 000005
【図４】
2011067275.tif 000006
【図５】
2011067275.tif 000007
【図６】
2011067275.tif 000008
【図７】
2011067275.tif 000009
【図８】
2011067275.tif 000010